(57)【要約】遠位端および近位端を有する筒部と、筒部の遠位端に設けられる先端とを含むシリンジであって、筒部は、筒部の近位端から遠位端に至る内部ボアを画定するシリンジと；近位端および遠位端を有する本体と、本体の近位端に設けられる縮径部と、本体の外面に設けられるネジ山とを含むルアーロックアダプターであって、縮径部はシリンジの先端を摩擦ばめで受容する開口部を画定するルアーロックアダプターと；内部キャビティを画定する本体と、本体から遠位に向かって延びるニードル受容部と、内部キャビティ中へと内方に延びるスカートとを含むニードルハブであって、本体の内面は、ルアーロックアダプターのネジ山に対応して、ニードルハブに対してルアーロックアダプターを連結するネジ山を含み、ニードル受容部はシリンジの先端を受容する内腔を画定するニードルハブと、を含むことを特徴とする注射装置。
2020521596.tif 000002
【特許請求の範囲】
【請求項１】
遠位端および近位端を有する筒部と、筒部の遠位端に設けられる先端とを含むシリンジであって、筒部は、筒部の近位端から遠位端に至る内部ボアを画定するシリンジと；
近位端および遠位端を有する本体と、本体の近位端に設けられる縮径部と、本体の外面に設けられるネジ山とを含むルアーロックアダプターであって、縮径部はシリンジの先端を摩擦ばめで受容する開口部を画定するルアーロックアダプターと；
内部キャビティを画定する本体と、本体から遠位に向かって延びるニードル受容部と、内部キャビティ中へと内方に延びるスカートとを含むニードルハブであって、本体の内面は、ルアーロックアダプターのネジ山に対応して、ニードルハブに対してルアーロックアダプターを連結するネジ山を含み、ニードル受容部はシリンジの先端を受容する内腔を画定するニードルハブと
を含むことを特徴とする注射装置。
【請求項２】
前記開口部は、所定のシリンジタイプであるシリンジの先端にのみ適合するような寸法で作製されていることを特徴とする請求項１に記載の注射装置。
【請求項３】
前記開口部の直径は、前記シリンジの先端の外径よりも小さいことを特徴とする請求項１に記載の注射装置。
【請求項４】
前記開口部は、星形の構成を有することを特徴とする請求項１に記載の注射装置。
【請求項５】
前記開口部は不連続であり、中央開口部と共に形成される複数の凹部を含んで、前記開口部を形成することを特徴とする請求項１に記載の注射装置。
【請求項６】
前記開口部の端部は、面取り加工されていることを特徴とする請求項１に記載の注射装置。
【請求項７】
前記先端は、その中に溝部を含み、前記開口部の端部は、面取り加工されて前記溝部と係合し、前記シリンジを前記ルアーロックアダプター内に保持していることを特徴とする請求項１に記載の注射装置。
【請求項８】
前記ニードル受容部により画定される内腔は、前記ニードル受容部の遠位端から近位端に向かって次第に細くなる内面を有することを特徴とする請求項１に記載の注射装置。
【請求項９】
前記内腔の遠位端の直径は、前記内腔の近位端の直径よりも大きいことを特徴とする請求項８に記載の注射装置。
【請求項１０】
前記内腔の近位端の直径は、前記シリンジの先端の遠位端と、前記ルアーロックアダプターの遠位端との間の距離を制限していることを特徴とする請求項９に記載の注射装置。
【請求項１１】
所定の距離は２ｍｍと２．５ｍｍとの間であることを特徴とする請求項１０に記載の注射装置。
【請求項１２】
前記ニードルハブの本体は、本外の外面に画定され、かつルアーロックアダプターおよびニードルハブ中へのシリンジの連結の際に使用者がニードルハブを保持するのを補助する、複数の掴みリブを含むことを特徴とする請求項１に記載の注射装置。
【発明の詳細な説明】
【技術分野】
【０００１】
本開示は、一般的に注射装置用のキャップハブインターフェイスを指向し、特に皮内注射装置用キャップハブインターフェイスを指向する。
【背景技術】
【０００２】
現在、慣用のルアーロックシリンジが、いくつかの異なる種類およびスタイルのニードルとの連結を可能にしている。これら異なる種類のニードルは、広範な用途において用いられており、皮内用ニードル、皮下用ニードル、筋肉内用ニードルおよび静脈内用ニードルを含む。薬品会社は、唯一の特定用途（たとえば、皮内用途のみ）に適当である薬剤および薬品を開発してきている。世界のいくつかの地域における現地の規制は、特定の注射装置と所望されない製品または薬剤との誤連結の回避を要求する。したがって、現在、所望される薬剤または薬品を含む所望または所定のシリンジのみを受容するように設計された注射装置に関する要求が存在する。さらに、現在、所望される用途に特異的な所定または所望されるニードルのみと連結するように設計された注射装置に関する要求が存在する。
【発明の概要】
【課題を解決するための手段】
【０００３】
本開示の１つの例において、注射装置は：遠位端および近位端を有する筒部と、筒部の遠位端に設けられる先端とを含むシリンジであって、筒部は、筒部の近位端から遠位端に至る内部ボアを画定するシリンジと；近位端および遠位端を有する本体と、本体の近位端に設けられる縮径部と、本体の外面に設けられるネジ山とを含むルアーロックアダプターであって、縮径部はシリンジの先端を摩擦ばめで受容する開口部を画定するルアーロックアダプターと；内部キャビティを画定する本体と、本体から遠位に向かって延びるニードル受容部と、内部キャビティ中へと内方に延びるスカートとを含むニードルハブであって、本体の内面は、ルアーロックアダプターのネジ山に対応して、ニードルハブに対してルアーロックアダプターを連結するネジ山を含み、ニードル受容部はシリンジの先端を受容する内腔を画定するニードルハブとを含む。
【０００４】
１つの構成において、開口部は、所定のシリンジタイプであるシリンジの先端にのみ適合するような寸法で作製されている。
【０００５】
特定の構成において、開口部は、星形の構成を有する。別の構成において、開口部は不連続であり、中央開口部と共に形成される複数の凹部を含んで、開口部を形成する。
【０００６】
先端は、その中に溝部を含んでもよく、開口部の端部（エッジ）を面取り加工して、溝部と係合してルアーロックアダプター内にシリンジを保持してもよい。ニードル受容部によって画定される内腔は、ニードル受容部の遠位端から近位端に向かって次第に細くなる内面を有してもよい。内腔の遠位端の直径は、内腔の近位端の直径よりも大きくてもよい。ある種の構成において、内腔の近位端の直径は、シリンジの先端の遠位端と、ルアーロックアダプターの遠位端との間の距離を制限する。所定の距離は、２ｍｍと２．５ｍｍとの間であってもよい。
【０００７】
特定の構成において、ニードルハブの本体は、本外の外面に画定される複数の掴みリブを含んで、ルアーロックアダプターおよびニードルハブ中へのシリンジの連結の際に、使用者がニードルハブを保持するのを補助する。
【０００８】
連結設備のこれらおよび他の特徴および特質、ならびに設備の関連する要素の操作および機能は、添付の図面（それら全ては本明細書の一部を構成する）を参照する以下の記載の考察により、より明らかになるであろう。種々の図において、類似の参照符号は対応する部分を指示する。しかしながら、図面が例示および説明の目的のためのみであり、本開示の限界を画定することを意図するものではないことを、はっきりと理解すべきである。文脈が特に明確に指示しない限りにおいて、本明細書で用いられる際に、「a」、「an」および「the」の単数形は、複数の指示対象を含む。
【図面の簡単な説明】
【０００９】
【図１】本開示の１つの例にしたがう注射装置の透視図である。
【図２】図１の注射装置の別の透視図である。
【図３】図１の注射装置の遠位端の断面図である。
【図４】本開示の注射装置の別の例の断面図である。
【図５】図４の注射装置の遠位端の分解断面図である。
【図６】本開示の１つの例にしたがうニードルハブおよびルアーロックアダプターの透視図である。
【図７】図４の注射装置の遠位端の分解透視図である。
【図８】図４の注射装置の遠位端の分解側面図である。
【図９】図４の注射装置の遠位端の分解側面断面図である。
【発明を実施するための形態】
【００１０】
以後の説明の目的のために、「上方」、「下方」、「右」、「左」、「垂直」、「水平」、「頂部」、「底部」、「横方向」、「縦方向」およびそれらの類語は、図中に配向されている通りに本発明に関連するであろう。しかしながら、特に相反することが明示されている場合を除いて、本発明が代替の変形および工程順序を想定してもよいことを理解すべきである。添付の図面に例示され、以下の明細書に記載される具体的なシステムおよびプロセスは、単に本発明の例示的な例であることも理解すべきである。したがって、本明細書に開示される例に関する具体的な寸法および他の物理的特性は、限定的に理解すべきではない。
【００１１】
本発明は、一般的に注射装置１０を指向し、特に、ニードルハブ１６に対してシリンジ１４を連結することを補助するように設計されたルアーロックアダプター１２を指向する。図１〜図９を参照して、注射装置１０を記載する。
【００１２】
図１〜図９を参照して、注射装置１０は、シリンジ１４、ルアーロックアダプター１２およびニードルハブ１６を含む。使用者が注射装置１０を保持または把持することを補助するために、取り外し可能な把持ハンドル（不図示）をシリンジ１４に設けてもよいことも考えられる。シリンジ１４は、概円筒状のシリンジ筒部１８と、その近位端に提供される一体型フランジ２０と、その遠位端に提供される先端２２とを含む。先端２２は、シリンジ筒部１８よりも小さい直径を有してもよい。先端２２は、ニードル（不図示）との連結のために設計される。図４に示すように、１つの例において、先端２２は、以下により詳細に説明するように、ルアーロックアダプター１２に対してシリンジ１４を連結するのを補助するための溝部２３を画定してもよい。１つの例において、シリンジ１４はガラス製であってもよい。シリンジ１４を透明な医療グレードのプラスチックで作製することも考えられる。シリンジ１４は、シリンジ１４の近位端から遠位端に向かって延びる内部ボア２４を画定する。内部ボア２４は患者に注射される薬剤を受容および保持するように設計される。
【００１３】
図３および図４に例示するように、本開示の１つの例において、ルアーロックアダプター１２は、ニードルハブ１６に対してネジにより連結され、シリンジ１４の先端２２に摩擦ばめされる。１つの例において、ルアーロックアダプター１２は、変形可能なプラスチック製である。ルアーロックアダプター１２は、本体部材２６と、縮径内部突起２８とを含む。本体部材２６は、ニードルハブ１６の一部およびシリンジ１４の先端２２を受容するように設計される内部キャビティ３０を画定する。１つの例において、内部キャビティ３０の直径は、一般的に６．５ｍｍ〜７ｍｍである。ニードルハブ１６の一部は、ルアーロックアダプター１２の遠位端に受容される。シリンジ１４の先端２２は、ルアーロックアダプター１２の近位端に受容される。１つの例において、本体部材２６は、概円筒状の形状である。図３および図４に示すように、本体部材２６の外側円周面は、以下により詳細に説明するように、ニードルハブ１６に対してルアーロックアダプター１２を連結するためのネジ山３２を含む。ピッチおよびネジ山の数のようなネジ山のネジ形状は、所望されるように適合および変更することができる。
【００１４】
ルアーロックアダプター１２の内部突起２８は、ルアーロックアダプター１２の近位端の開口部３４を画定する。開口部３４は、シリンジ１４の先端２２を受容するように設計される。異なる寸法のシリンジ先端に対応するために、開口部３４の直径を変更または適合させることが考えられる。開口部３４は、所望または所定のシリンジ１４のみをルアーロックアダプター１２内に受容できるような寸法で形成され、それによって、注射装置１０内での所望されないシリンジ１４の誤連結を回避する。１つの例において、開口部３４の直径は、シリンジ１４の先端２２の外径よりもわずかに小さく、先端２２を摩擦ばめにより開口部３４内に保持する。スナップばめ連結、締まりばめ連結、接着剤、または他の連結方法を用いて先端２２を開口部３４内に保持することも考えられる。図６に示すように、開口部３４は星形の構成を有してもよい。開口部３４は、不連続であってもよく、中央開口部３８と共に形成されるいくつかの別個の凹部３６を含んで、全体として開口部３４を形成してもよい。開口部３４の特定の端部（エッジ）４０を面取り加工して、ルアーロックアダプター１２中へのシリンジ先端２２の挿入を補助してもよい。図４を参照して、シリンジ１４の先端２２に溝部２３が画定されている注射装置１０の実施形態において、シリンジ先端２２がルアーロックアダプター１２中へと挿入されるにつれて、シリンジ先端２２に画定された溝部２３に対して端部４０が係合して、ルアーロックアダプター１２内にシリンジ１４を保持する。
【００１５】
図１〜図４を参照して、ニードルハブ１６は、概円筒状の本体４２と、ニードル受容部４４と、内部スカート部材４５とを有する。ニードル受容部４４は、本体４２の遠位端に設けられ、本体４２よりも小さい直径を有する。ニードル受容部４４は、シリンジ１４の先端２２との連結のために、ニードル（不図示）を受容するのに適合した内腔４６を画定する。内腔４６の内面は、ニードル受容部４４の遠位端から近位端に向かって次第に細くなる。したがって、内腔４６の遠位端の直径は、内腔４６の近位端の直径よりも大きい。内腔４６の近位端の縮小した直径により、シリンジ１４の先端２２は、ニードルハブ１６との摩擦ばめにより保持される。１つの例において、内腔４６の近位端の直径は、先端２２の遠位端とルアーロックアダプター１２の遠位端との間の所定の距離Ａを維持するように設計される。１つの例において、距離Ａは、一般的に２ｍｍと２．５ｍｍとの間であると測定される。この距離を維持して、特定の所定のニードル（不図示）のみをルアーロックアダプター１２の内腔４６内に受容できることを保証する。この距離が長すぎる場合、所望されるニードルは、接続のためのシリンジ１４の先端まで到達できない可能性がある。この距離が短すぎる場合、特定の所定のニードルに加えて他のニードルも内腔４６内に受容される可能性がある。ニードルハブ１６とルアーロックアダプター１２との間に特定のインターフェイスを提供することによって、１つのニードル、１種のニードル、または１つの長さのニードルのみを注射装置１０に適合するように、所定の距離Ａを維持することができる。たとえば、ニードルハブ１６とルアーロックアダプター１２との間に特定のインターフェイスを提供することによって、皮下用ニードル、筋肉内用ニードル、および静脈内用ニードルではなく、皮内用ニードルのみを注射装置１０に適合させることができる。
【００１６】
ニードルハブ１６の本体４２は、ルアーロックアダプター１２と、シリンジ１４の先端２２とを受容する内部キャビティ４８を画定する。本体４２の内面は、ルアーロックアダプター１２のネジ山３２に対応するネジ山５０を含む。ピッチおよびネジ山の数のようなネジ山５０のネジ形状を、所望されるように適合および変更できることが考えられる。対応するネジ山３２および５０を互いに連結することにより、ルアーロックアダプター１２をニードルハブ１６の内部キャビティ４８中にねじ込むことができる。このネジ接続は、ルアーロックアダプター１２がニードルハブ１６から近位端方向に動くことを防止する。本体４２は、本体４２の外側円周面に複数の掴みリブ５２を画定してもよい。リブ５２は、ルアーロックアダプター１２およびニードルハブ１６中へのシリンジ１４の連結の際に、使用者がニードルハブ１６を保持するのを補助する。
【００１７】
注射装置のいくつかの例を、添付の図面中に示し、上記で詳細に記載したが、本開示の範囲および真意から解離することなしに、当業者にとって他の態様は自明であるし、当業者は容易に他の態様を作製することができるであろう。したがって、以上の記載は、限定的ではなく例示的であることを意図する。
【図１】
2020521596.tif 000003
【図２】
2020521596.tif 000004
【図３】
2020521596.tif 000005
【図４】
2020521596.tif 000006
【図５】
2020521596.tif 000007
【図６】
2020521596.tif 000008
【図７】
2020521596.tif 000009
【図８】
2020521596.tif 000010
【図９】
2020521596.tif 000011
【国際調査報告】
2020521596.tif 000012
2020521596.tif 000013